(57)【要約】  デジタイザへの指先タッチ入力を検証するための方法であって、デジタイザセンサの導電線から得られる信号のパターンを検出する工程と、前記パターンを予め定められた指先特性と比較する工程と、前記比較に基づいて指先タッチ入力を認識する工程とを含む方法。【選択図】図６
2009540452.tif 000002
【特許請求の範囲】
【請求項１】
デジタイザへの指先タッチ入力を検証するための方法であって、デジタイザセンサの導電線から得られる信号のパターンを検出する工程と、前記パターンを予め定められた指先特性と比較する工程と、前記比較に基づいて指先タッチ入力を認識する工程とを含む方法。
【請求項２】
導電線は平行な導電線である、請求項１に記載の方法。
【請求項３】
導電線は、グリッドを形成する直交する２組の平行な導電線を含む、請求項１又は２に記載の方法。
【請求項４】
直交する２組は相互に電気的に分離される、請求項３に記載の方法。
【請求項５】
平行な導電線は等間隔に配置される、請求項２〜４のいずれかに記載の方法。
【請求項６】
平行な導電線は４ｍｍ間隔で配置される、請求項２〜５のいずれかに記載の方法。
【請求項７】
平行な導電線の対は差動増幅器に入力される、請求項２〜６のいずれかに記載の方法。
【請求項８】
パターンは差動増幅器出力のパターンである、請求項７に記載の方法。
【請求項９】
平行な導電線の対は、非隣接導電線である、請求項７又は８に記載の方法。
【請求項１０】
パターンは信号振幅のパターンである、請求項１〜９のいずれかに記載の方法。
【請求項１１】
パターンは、既定の振幅閾値より高い信号振幅のパターンである、請求項１〜１０のいずれかに記載の方法。
【請求項１２】
パターンは信号振幅勾配のパターンである、請求項１〜１１のいずれかに記載の方法。
【請求項１３】
パターンは、既定の勾配閾値より高い信号振幅勾配のパターンである、請求項１〜１２のいずれかに記載の方法。
【請求項１４】
信号のパターンにおけるギャップの数を決定する工程を含む、請求項１〜１３のいずれかに記載の方法。
【請求項１５】
ギャップの最大数を決定し、それより低いギャップ数で信号のパターンが指先タッチを検証する要件が満たされる工程を含む、請求項１４に記載の方法。
【請求項１６】
信号のパターンが、容量式タッチ方法を用いて検出される、請求項１〜６，１０〜１５のいずれかに記載の方法。
【請求項１７】
信号振幅勾配が、信号のパターンの空間的高域通過フィルタ信号である、請求項１２〜１６のいずれかに記載の方法。
【請求項１８】
パターンが輪郭パターンである、請求項１７に記載の方法。
【請求項１９】
デジタイザセンサが検出された領域の大きさの比率を決定する工程と、指先タッチを検証する要件を満たす比率の範囲を定義する工程とを含む、請求項１６〜１８のいずれかに記載の方法。
【請求項２０】
デジタイザセンサ上で信号が検出された領域を決定する工程と、指先タッチを検証する要件を満たす領域の範囲を決定する工程とを含む、請求項１９に記載の方法。
【請求項２１】
デジタイザセンサは透明である、請求項１〜２０のいずれかに記載の方法。
【請求項２２】
検出はマルチタッチ検出を含む、請求項１〜２１のいずれかに記載の方法。
【請求項２３】
複数の導電線を含むデジタイザセンサと、複数の導電線からの出力のパターンの検出に基づいて、指先タッチ入力を検証するように動作するコントローラとを備えた、デジタイザへの指先タッチ入力を検証するためのシステム。
【請求項２４】
複数の導電線は平行な導電線を含む、請求項２３に記載のシステム。
【請求項２５】
複数の導電線は、グリッドを形成する直交する２組の平行な導電線を含む、請求項２３又は２４に記載のシステム。
【請求項２６】
直交する２組は、相互に電気的に分離される、請求項２５に記載のシステム。
【請求項２７】
複数の導電線は等間隔に配置される、請求項２３〜２６のいずれかに記載のシステム。
【請求項２８】
複数の導電線は４ｍｍ間隔に配置される、請求項２３〜２７のいずれかに記載のシステム。
【請求項２９】
平行な導電線の対は、差動増幅器に入力される、請求項２３〜２８のいずれかに記載のシステム。
【請求項３０】
パターンは差動増幅器出力のパターンである、請求項２９に記載のシステム。
【請求項３１】
平行な導電線の対は、非隣接導電線である、請求項２９又は３０に記載のシステム。
【請求項３２】
コントローラは、出力からの信号振幅のパターンを決定するように動作する、請求項２３〜３１のいずれかに記載のシステム。
【請求項３３】
コントローラは、既定の振幅閾値より高い出力からの信号振幅のパターンを決定するように動作する、請求項２３〜３２のいずれかに記載のシステム。
【請求項３４】
コントローラは、出力からの信号振幅勾配のパターンを決定するように動作する、請求項２３〜３３のいずれかに記載のシステム。
【請求項３５】
コントローラは、既定の勾配閾値より高い出力からの信号振幅勾配のパターンを決定するように動作する、請求項２３〜３４のいずれかに記載のシステム。
【請求項３６】
コントローラは、信号のパターンにおけるギャップの数を決定するように動作する、請求項２３〜３５のいずれかに記載のシステム。
【請求項３７】
コントローラは、既定のギャップの最大数より上のギャップを持つパターンに対応する入力信号を拒絶するように動作する、請求項３６に記載のシステム。
【請求項３８】
出力のパターンは、容量式タッチ方法を用いて検出される、請求項２３〜２８，３２〜３７のいずれかに記載のシステム。
【請求項３９】
信号振幅勾配は、出力の高域通過フィルタ信号である、請求項３４〜３８のいずれかに記載のシステム。
【請求項４０】
パターンは輪郭パターンである、請求項３９に記載のシステム。
【請求項４１】
コントローラは、出力が検出された領域の大きさの比率を決定し、かつこの比率が、指先タッチを検証する要件を満たす既定の比率の範囲内であるか否かを決定するように動作する、請求項３８〜４０のいずれかに記載のシステム。
【請求項４２】
コントローラは、前記領域が、指先タッチを検証する要件を満たす既定の領域の範囲内であるか否かを決定し、かつ前記大きさが、指先タッチを検証する要件を満たす既定の大きさの範囲内であるか否かを決定するように動作する、請求項４１に記載のシステム。
【請求項４３】
デジタイザセンサは透明である、請求項２３〜４２のいずれかに記載のシステム。
【請求項４４】
コントローラは、マルチタッチ入力を検出するように動作する、請求項２３〜４３のいずれかに記載のシステム。
【請求項４５】
ホストコンピュータを備え、このホストコンピュータはコントローラと通信する、請求項２３〜４４のいずれかに記載のシステム。
【請求項４６】
コントローラは、指先入力として検証された入力を、ホストコンピュータに送信する、請求項４５に記載のシステム。
【発明の詳細な説明】
【技術分野】
【０００１】
本発明は、デジタイザに関し、さらに詳しくは指先タッチ感知デジタイザに関する。
【背景技術】
【０００２】
タッチ技術は、種々の製品のための入力装置として一般的に使用される。様々な種類のタッチ装置の使用は、パーソナルデジタルアシスト（ＰＤＡ）、タブレットＰＣ、およびワイヤレスフラットパネルディスプレイ（ＦＰＤ）のスクリーンディスプレイのような新しい携帯装置の出現のため、急増している。これらの新しい装置は通常、それらの移動性を制限するとみなされる標準キーボード、マウス、または類似の入力装置に接続されない。代わりに、何らかの種類のタッチ入力技術を使用する傾向がある。スタイラスおよび／または指先を、ユーザインタラクションとして使用することができる。
【０００３】
両方ともＮ−ｔｒｉｇ  Ｌｔｄ．に譲渡され、両方の内容を参照によって本書に援用する、「Ｐｈｙｓｉｃａｌ  Ｏｂｊｅｃｔ  Ｌｏｃａｔｉｏｎ  Ａｐｐａｒａｔｕｓ  ａｎｄ  Ｍｅｔｈｏｄ  ａｎｄ  ａ  Ｐｌａｔｆｏｒｍ  ｕｓｉｎｇ  ｔｈｅ  ｓａｍｅ」と称する米国特許第６６９０１５６号および「Ｔｒａｎｓｐａｒｅｎｔ  Ｄｉｇｉｔｉｚｅｒ」と称する米国特許出願公開第２００４００９５３３３号は、ＦＰＤ上の物理オブジェクトの位置を決定する電磁的方法、および一般的にアクティブディスプレイスクリーンで電子装置に組み込むことのできる透明なデジタイザを記載している。デジタイザセンサは、垂直および水平方向の導電線のマトリクス、ならびに電気信号を検知するセンサを含む。デジタイザ上の特定の位置に物理オブジェクトを配置すると、信号が誘起され、その起点位置を検出することができる。
【０００４】
Ｎ−ｔｒｉｇ  Ｌｔｄに譲渡され、その内容全体を参照によって本明細書に援用する、「Ｔｏｕｃｈ  Ｄｅｔｅｃｔｉｏｎ  ｆｏｒ  ａ  Ｄｉｇｉｔｉｚｅｒ」と称する米国特許出願公開第２００４０１５５８７１号は、同一検知導電線を用いて物理オブジェクトおよび指先タッチの両方の位置を検出することのできるデジタル化タブレットシステムを記載している。一般的に、前記システムはＦＰＤ上に重ねて置かれた透明なセンサを含む。デジタイザのセンサは、電気信号を検知する、垂直および水平方向の導電線のマトリクスを含む。特定の位置でデジタイザに接触すると、信号が誘起され、その起点位置を検出することができる。
【０００５】
Ｎ−ｔｒｉｇに譲渡され、その内容全体を参照によって本明細書に援用する、「Ａｕｔｏｍａｔｉｃ  ｓｗｉｔｃｈｉｎｇ  ｆｏｒ  ａ  ｄｕａｌ  ｍｏｄｅ  ｄｉｇｉｔｉｚｅｒ」と称する米国特許出願公開第２００６００１２５８０号は、デジタイザシステムで様々なタイプのユーザインタラクション、例えば電磁スタイラスおよびタッチを利用する方法を記載している。タッチの検出領域の大きさに基づく、したがって局所的タッチ事象と広域タッチ事象とを区別する、「パームリジェクション（ｐａｌｍ  ｒｅｊｅｃｔｉｏｎ）」のための方法が記載されている。
【発明の概要】
【０００６】
本発明の一部の実施形態の態様は、デジタイザへの信号入力が指先タッチであり、例えばユーザインタラクションのためにユーザによって意図されたタッチであることを検証するためのシステムおよび方法を提供する。デジタイザへの信号入力が指先タッチであることの検証は、ユーザインタラクションのためにユーザによって意図されない、例えばデジタイザ上に手が載ってしまうことや、デジタイザとＬＣＤとの間の機械的変化ゆえに生じる、デジタイザ上の他の検出信号から、指先タッチ入力を区別することをもたらす。本発明の一部の実施形態では、デジタイザへの信号入力が指先タッチであることの検証は、デジタイザグリッド上で受信された信号の１つまたはそれ以上の予め定められたパターンの認識によって促進される。本発明の例示的実施形態で、デジタイザへの信号入力が指先タッチであることを検証するために使用されるパターンについて説明する。
【０００７】
本発明の一部の実施形態では、指先タッチを検証するために使用される予め定められた信号パターンは、デジタイザグリッドの導電線の配列、例えば４本の導電線の配列上で検出され、かつ／または導電線に関連する差動増幅器の配列、例えば４つの差動増幅器の配列の出力で検出される、信号振幅のパターンを含む。一部の例示的実施形態では、予め定められたパターンは、デジタイザグリッドの垂直および水平両方向の導電線上の信号振幅出力のパターンから構成される。一部の例示的実施形態では、予め定められたパターンは、１つまたはそれ以上の既定の閾値より高い信号振幅から構成される。本発明の一部の例示的実施形態では、入力信号が検出されたデジタイザグリッド上の領域が決定され、デジタイザへの信号入力が指先タッチであることを検証するために、予め定められた信号パターン認識と共に使用される。本発明の一部の例示的実施形態では、入力信号が検出された部分の大きさが決定され、デジタイザへの信号入力が指先タッチであることを検証するために、予め定められた信号パターン認識と共に使用される。
【０００８】
本発明の一部の実施形態では、指先タッチを検証するために使用される予め定められた信号パターンは、信号振幅勾配のパターン、例えばデジタイザグリッドの導電線の配列で検出される空間勾配、および／または差動増幅器の出力の空間勾配のパターンを含む。一部の例示的実施形態では、予め定められたパターンは、デジタイザグリッドの垂直および水平両方向の導電線での信号振幅勾配のパターンから構成される。一部の例示的実施形態では、予め定められたパターンは、１つまたはそれ以上の既定の閾値より高い信号振幅勾配から構成される。
【０００９】
本発明の一部の例示的実施形態では、入力信号が検出されたデジタイザグリッド上の領域が決定され、デジタイザへの信号入力が指先タッチであることを検証するために、予め定められた信号パターン認識と共に使用される。本発明の一部の例示的実施形態では、入力信号が検出された部分の大きさが決定され、デジタイザへの信号入力が指先タッチであることを検証するために、予め定められた信号パターン認識と共に使用される。
【００１０】
本発明の一部の実施形態では、指先タッチを検証するために使用される予め定められた信号パターンは、デジタイザグリッドの導電線の配列上で検出された信号振幅および信号振幅勾配のパターンを含む。一部の例示的実施形態では、指先タッチを検証するために使用される予め定められた信号パターンは、信号振幅と信号振幅勾配との間の関係を含む。
【００１１】
本発明の一部の実施形態では、指先タッチを検証するために使用される予め定められた信号パターンは、デジタイザグリッドの直交軸、例えば横軸および縦軸上のパターン間の関係を含む。一部の例示的実施形態では、パターンは信号振幅のパターンである。一部の例示的実施形態では、パターンは信号振幅勾配のパターンである。本発明の一部の例示的実施形態では、関係は、入力信号が検出された部分の大きさの関係である。本発明の一部の例示的実施形態では、入力信号が検出されたデジタイザグリッド上の領域が決定され、デジタイザへの信号入力が指先タッチであることを検証するために、予め定められた信号パターン認識と共に使用される。
【００１２】
本発明の一部の実施形態の態様は、デジタイザへの指先タッチ入力を検証するための方法であって、デジタイザセンサの導電線から得られる信号のパターンを検出する工程と、前記パターンを予め定められた指先特性と比較する工程と、前記比較に基づいて指先タッチ入力を認識する工程とを含む方法を提供する。
【００１３】
任意選択的に、導電線は平行な導電線である。
【００１４】
任意選択的に、導電線は、グリッドを形成する直交する２組の平行な導電線を含む。
【００１５】
任意選択的に、直交する２組は相互に電気的に分離される。
【００１６】
任意選択的に、平行な導電線は等間隔に配置される。
【００１７】
任意選択的に、平行な導電線は４ｍｍ間隔で配置される。
【００１８】
任意選択的に、平行な導電線の対は差動増幅器に入力される。
【００１９】
任意選択的に、パターンは差動増幅器出力のパターンである。
【００２０】
任意選択的に、平行な導電線の対は、非隣接導電線である。
【００２１】
任意選択的に、パターンは信号振幅のパターンである。
【００２２】
任意選択的に、パターンは、既定の振幅閾値より高い信号振幅のパターンである。
【００２３】
任意選択的に、パターンは信号振幅勾配のパターンである。
【００２４】
任意選択的に、パターンは、既定の勾配閾値より高い信号振幅勾配のパターンである。
【００２５】
任意選択的に、方法は、信号のパターンにおけるギャップの数を決定する工程を含む。
【００２６】
任意選択的に、方法は、ギャップの最大数を決定し、それより低いギャップ数で信号のパターンが指先タッチを検証する要件が満たされる工程を含む。
【００２７】
任意選択的に、信号のパターンが、容量式タッチ方法を用いて検出される。
【００２８】
任意選択的に、信号振幅勾配が、信号のパターンの空間的高域通過フィルタ信号である。
【００２９】
任意選択的に、パターンが輪郭パターンである。
【００３０】
任意選択的に、方法は、デジタイザセンサが検出された領域の大きさの比率を決定する工程、および指先タッチを検証する要件を満たす比率の範囲を定義する工程を含む。
【００３１】
任意選択的に、方法は、デジタイザセンサ上で信号が検出された領域を決定する工程、および指先タッチを検証する要件を満たす領域の範囲を決定する工程を含む。
【００３２】
任意選択的に、デジタイザセンサは透明である。
【００３３】
任意選択的に、検出はマルチタッチ検出を含む。
【００３４】
本発明の一部の実施形態の態様は、複数の導電線を含むデジタイザセンサと、複数の導電線からの出力のパターンの検出に基づいて、指先タッチ入力を検証するように動作するコントローラとを備えた、デジタイザへの指先タッチ入力を検証するためのシステムを提供する。
【００３５】
任意選択的に、複数の導電線は平行な導電線を含む。
【００３６】
任意選択的に、複数の導電線は、グリッドを形成する直交する２組の平行な導電線を含む。
【００３７】
任意選択的に、直交する２組は、相互に電気的に分離される。
【００３８】
任意選択的に、複数の導電線は等間隔に配置される。
【００３９】
任意選択的に、複数の導電線は４ｍｍ間隔に配置される。
【００４０】
任意選択的に、平行な導電線の対は、差動増幅器に入力される。
【００４１】
任意選択的に、パターンは差動増幅器出力のパターンである。
【００４２】
任意選択的に、平行な導電線の対は、非隣接導電線である。
【００４３】
任意選択的に、コントローラは、出力からの信号振幅のパターンを決定するように動作する。
【００４４】
任意選択的に、コントローラは、既定の振幅閾値より高い出力からの信号振幅のパターンを決定するように動作する。
【００４５】
任意選択的に、コントローラは、出力からの信号振幅勾配のパターンを決定するように動作する。
【００４６】
任意選択的に、コントローラは、既定の勾配閾値より高い出力からの信号振幅勾配のパターンを決定するように動作する。
【００４７】
任意選択的に、コントローラは、信号のパターンにおけるギャップの数を決定するように動作する。
【００４８】
任意選択的に、コントローラは、既定のギャップの最大数より上のギャップを持つパターンに対応する入力信号を拒絶するように動作する。
【００４９】
任意選択的に、出力のパターンは、容量式タッチ方法を用いて検出される。
【００５０】
任意選択的に、信号振幅勾配は、出力の高域通過フィルタ信号である。
【００５１】
任意選択的に、パターンは輪郭パターンである。
【００５２】
任意選択的に、コントローラは、出力が検出された領域の大きさの比率を決定し、かつ該比率が、指先タッチを検証する要件を満たす既定の比率の範囲内であるか否かを決定するように動作する。
【００５３】
任意選択的に、コントローラは、前記領域が、指先タッチを検証する要件を満たす既定の領域の範囲内であるか否かを決定し、かつ前記大きさが、指先タッチを検証する要件を満たす既定の大きさの範囲内であるか否かを決定するように動作する。
【００５４】
任意選択的に、デジタイザセンサは透明である。
【００５５】
任意選択的に、コントローラは、マルチタッチ入力を検出するように動作する。
【００５６】
任意選択的に、システムはホストコンピュータを備え、該ホストコンピュータはコントローラと通信する。
【００５７】
任意選択的に、コントローラは、指先入力として検証された入力を、ホストコンピュータに送信する。
【００５８】
本発明の対象は、明細書の結論の部分で特にかつ明確に主張する。本発明の実施形態の非限定的な実施例を以下で、本明細書に添付しかつ図面の簡単な説明に列挙する図面に関連して説明する。図において、２つ以上の図に現れる同一の構造、要素、または部分は、それらが現れる全ての図で、一般的に同一符号を付す。図に示す構成要素および特徴の大きさは、提示を簡便かつ分かり易くするために選択されたものであって、必ずしも縮尺通りに示されていない。例えば、幾つかの要素の寸法は、分かり易くするために、他の要素に比べて誇張されていることがある。
【図面の簡単な説明】
【００５９】
【図１】図１は、本発明の一部の実施形態に係るデジタイザシステムの例示的簡易ブロック図である。
【図２】図２は、本発明の一部の実施形態に係るタッチ検出の例示的簡易回路図である。
【図３】図３は、本発明の実施形態に係る差動増幅器を含むデジタイザセンサの例示的簡易回路図である。
【図４】図４は、本発明の一部の実施形態に係る、指先タッチを検出するための容量式タッチ方法に基づく、指先タッチ検出のためのデジタイザセンサの略図である。
【図５】図５Ａは、本発明の一部の実施形態に係る、指先タッチ検出から得られた信号振幅の例示的信号パターンの略図である。図５Ｂは、本発明の一部の実施形態に係る、指先タッチ検出から得られた信号振幅勾配の例示的信号パターンの略図である。
【図６】図６は、本発明の例示的実施形態に係る、デジタイザの信号検出が指先タッチ検出であることを検証するための方法を記載する例示的フローチャートである。
【図７】図７Ａは、本発明の例示的実施形態に係る、既定の振幅閾値より高い振幅値のパターンを示す、指先タッチのための例示的信号パターンの略図である。図７Ｂは、本発明の例示的実施形態に係る、既定の勾配閾値より高い勾配値のパターンを示す、指先タッチのための例示的信号パターンの略図である。
【図８Ａ−Ｂ】図８Ａは、本発明の一部の実施形態に係る、ハンドタッチ検出から得られた信号振幅の例示的信号パターンの略図である。図８Ｂは、本発明の一部の実施形態に係る、ハンドタッチ検出から得られた信号振幅勾配の例示的信号パターンの略図である。
【図８Ｃ−Ｄ】図８Ｃは、本発明の一部の実施形態に係る、既定の振幅閾値より高い振幅値のパターンを示す、ハンドタッチ検出の例示的信号パターンの略図である。図８Ｄは、本発明の例示的実施形態に係る、既定の勾配閾値より高い勾配値のパターンを示す、ハンドタッチ検出の例示的信号パターンの略図である。
【図９】図９は、本発明の他の例示的実施形態に係る、デジタイザの信号検出が指先タッチ検出であることを検証するための方法を記載する例示的フローチャートである。
【００６０】
図面を簡潔かつ分かり易くするために、図に示される要素は必ずしも縮尺通りに描かれていないことは理解されるであろう。さらに、適切と考えられる場合、対応する要素または類似の要素を示すために、図面の間で参照符号が繰り返されることがある。
【発明を実施するための形態】
【００６１】
以下の説明では、本発明の種々の態様を組み込んだ、本発明の例示的な非限定的実施例について記載する。実施形態を完全に理解していただくために、説明を目的として、特定の構成および詳細を提示する。しかし、本発明は本明細書に提示する特定の詳細無しに実施することができることも、当業者には明白であろう。さらに、本発明を曖昧にしないために、公知の特徴は省略または簡略化する。１つの実施形態に示す特徴は、他の実施形態に示す特徴と組み合わせることができる。提示を明確にするために、そのような特徴については繰り返さない。さらに、一部の実施形態では、幾つかの本質的でない特徴を記載する。
【００６２】
ここで、本発明の一部の実施形態に係るデジタイザシステムの例示的簡易ブロック図を示す図１を参照しながら説明する。図１に示すデジタイザシステムは、ユーザと装置との間のインタラクションを可能にする任意のコンピューティング装置、例えばＦＰＤスクリーンを含む例えば携帯コンピューティング装置に適しているかもしれない。そのような装置の例としてタブレットＰＣ、ペン使用可能ラップトップコンピュータ、ＰＤＡまたは任意のハンドヘルド装置、例えばパームパイロットおよび携帯電話が挙げられる。本発明の一部の実施形態では、デジタイザシステムは、任意選択的に透明であって一般的にＦＰＤ１０上に重ねて置かれる、グリッドベースのセンサ１２を含む。ＡＳＩＣ１６は、出力を処理しサンプリングしてデジタル表現にする回路構成を含む。デジタル出力信号は、さらなるデジタル処理のために、デジタルユニット２０、例えばデジタルＡＳＩＣユニットに転送される。本発明の一部の実施形態では、デジタルユニット２０はＡＳＩＣユニット１６と一緒に、デジタイザシステムのコントローラとなり、かつ／またはコントローラの機能を有する。結果がひとたび決定されると、それは、オペレーティングシステムまたは任意の電流印加によって処理するために、インタフェース２４を介してホスト２２に転送される。本発明の一部の実施形態では、制御機能はホスト２２にも、またはホスト２２にだけ含まれる。
【００６３】
本発明の一部の実施形態では、センサ１２は、箔またはガラス基板上にパターン形成された、導電性材料、任意選択的にインジウムスズ酸化物（ＩＴＯ）から作られた導電線のグリッドである。導電線および箔は任意選択的に透明である。一般的に、グリッドは、電気的に相互に分離された２つの層から作られる。一般的に、層の１つは１組の等間隔に配置された平行な導体を含み、他の層は、第１層の組に直交する１組の等間隔の平行な導体を含む。一般的に、平行な導体は等間隔の直線状の線であり、ＡＳＩＣユニット１６に含まれる増幅器に入力される。任意選択的に、増幅器は差動増幅器である。一般的に、平行な導体は、任意選択的にＦＰＤの大きさに応じて約４ｍｍ、例えば２〜８ｍｍの間隔で配置される。
【００６４】
一般的に、ＡＳＩＣユニットはグリッドの種々の導体の出力に接続され、第１処理段階で受信した信号を処理するように機能する。上に示した通り、ＡＳＩＣユニット１６は、センサの信号を増幅するために増幅器、例えば差動増幅器の配列を含む。加えて、ＡＳＩＣユニット１６は、無関係の周波数を除去するために１つまたはそれ以上のフィルタを含む。任意選択的に、フィルタリングはサンプリングの前に実行される。信号は次いでＡ／Ｄによってサンプリングされ、任意選択的にデジタルフィルタによってフィルタリングされ、さらなるデジタル処理のためにデジタルＡＳＩＣユニットに転送される。
【００６５】
本発明の一部の実施形態では、デジタルユニット２０はサンプリングされたデータを読み出し、それを処理し、スタイラスおよび／または指タッチのような物理オブジェクトの位置を決定する。算出された位置は、インタフェース２４を介してホストコンピュータに送信される。一部の実施形態では、デジタルユニット２０は、センサ配置およびディスプレイスクリーンを取り囲む励振コイル２６に提供されるトリガパルスを生成して管理する。励振コイルは、後で検出することのできるスタイラスからの応答を生成する、スタイラスの受動回路構成を励起させるトリガパルスを提供する。一部の実施形態では、デジタルユニット２０は、導電線の少なくとも１つへのトリガパルスを生成して管理する。
【００６６】
スタイラス検出
本発明の一部の実施形態では、スタイラスは受動素子である。任意選択的に、スタイラスは、励振コイル２６によってトリガされてその共振周波数で振動する共振回路を含む。任意選択的に、スタイラスは、エネルギピックアップユニットおよび発振回路を含むことができる。共振周波数で、回路は振動を発生し、それは励振パルスの終了後も続き、徐々に減衰する。減衰する振動は近接する導電線に電圧を誘起し、それはセンサ１２によって検知される。本発明の一部の実施形態では、相互に近接しているが隣接していない２本の平行なセンサ線は、差動増幅器の正および負の入力にそれぞれ接続される。増幅器はしたがって、２本のセンサ線信号間の差の増幅である出力信号を発生することができる。２本のセンサ線の１つにスタイラスを有する増幅器は、比較的高い振幅の出力を生成する。
【００６７】
指先タッチ検出
ここで、本発明の一部の実施形態に係るタッチ検出のための例示的回路図を示す図２を参照しながら説明する。導電線３１０および３２０は、センサ１２の平行な非隣接線である。本発明の一部の実施形態では、指が存在するか否かを決定するために、導電線３１０および３２０に問合せが行なわれる。導電線対に問合せを行なうために、信号源Ｉａ、例えばＡＣ信号源は、線対に発振信号を誘起する。信号は共通グランド３５０を基準とする。指が対の導電線の１本の上に置かれると、指と導電線３１０との間にキャパシタンスＣＴが生じる。導電線３１０とユーザの指との間に電位が存在するので、導電線３１０から指を介してグランドへ電流が通過する。その結果、どちらも差動増幅器３４０への入力として働く導電線３１０とその対３２０との間に、電位差が生じる。
【００６８】
ここで、本発明の実施形態に係る差動増幅器への入力としてデジタイザセンサの導電線の配列を示す図３を参照しながら説明する。２本の導線３１０および３２０の間の分離は一般的に、指の幅より大きいので、必要な電位差、例えば約１２ｍｍまたは８ｍｍ〜３０ｍｍを形成することができる。差動増幅器３４０は導電線３１０および３２０の間に生じる電位差を増幅し、ＡＳＩＣ１６はデジタルユニット２０と共に、増幅された信号を処理し、それによって、検知された信号の振幅および／または信号レベルに基づき、ユーザの指の位置を決定する。１つの実施例では、ユーザの指の位置は、出力の位相を検査することによって決定される。別の実施例では、指タッチは一般的に２つ以上の導電線に出力を生成するので、ユーザの指の位置は、隣接する増幅器の出力を検査することによって決定される。さらに他の実施例では、両方の方法の組合せを実現することができる。一部の実施形態では、デジタル処理ユニット２０は、センサ１２の導電線、例えば導電線３１０および３２０に提供されるＡＣ信号を制御するように動作する。一般的に、センサ上での指先タッチは、２〜８本の線、例えば６本の導電線および／または４つの差動増幅器出力にまたがることがある。一般的に、指は複数の導電線上に置かれるので、２つ以上の差動増幅器、例えば複数の差動増幅器に出力信号を発生する。しかし、指先タッチは、２本以上の導電線上に置かれたときに検出することができる。
【００６９】
ここで、本発明の一部の実施形態に係る、デジタイザセンサを用いた指先タッチ検出のための容量式タッチ方法を概略的に示す図４を参照しながら説明する。センサ１２の各接点、例えば接点４０で、直交する導電線の間に特定の最小量のキャパシタンスが存在する。例示的実施形態では、２次元センサマトリクス１２の１つまたはそれ以上の平行な導電線にＡＣ信号６０を印加する。信号６０が誘起される特定の位置で指４１がセンサに接触すると、少なくともタッチ位置に近接して、信号６０が印加される導電線と対応する直交導電線との間のキャパシタンスは増加し、指４１のキャパシタンスのおかげで、信号６０は対応する直交導電線に渡り、出力信号６５を生成する。この方法は、同時に２つ以上の指タッチ（マルチタッチ）を検出することができる。この方法はさらに、タッチ領域を算出することができる。本発明の例示的実施形態では、各導電線は増幅器に入力される。任意選択的に、各線は差動増幅器に入力される一方、増幅器の他の入力は接地される。一般的に、指が存在すると、指は一般的に電流を線から排出させるので、結合信号は２０〜３０％減少する。
【００７０】
本発明は、本明細書に記載するデジタイザシステムの技術的記述に限定されない。スタイラスおよび／または指先の位置を検出するために使用されるデジタイザシステムは例えば、援用する米国特許第６６９０１５６号、米国特許出願公開第２００４００９５３３３号、および／または同第２００４０１５５８７１号に記載されたデジタイザシステムと同様のものとすることができる。また、本発明は、システムの構成によっては、当業界で公知の他のデジタル化システムにも適用できる。
【００７１】
本発明の一部の実施形態では、信号振幅のパターンおよび信号振幅勾配のパターンを検出し、それらを使用して、デジタイザへの信号入力が指先タッチ入力であること、および／または信号検出が指先タッチ検出であることを検証する。ここで、本発明の一部の実施形態に従って、指先タッチから得られる差動増幅器からの信号振幅出力の例示的信号パターンを示す図５Ａ、および指先タッチから得られる信号振幅勾配の例示的信号パターンを示す図５Ｂを参照しながら説明する。本発明者らは、指先タッチに典型的であり、したがって指先タッチと、例えばデジタイザ上に手が載ってしまうことや、デジタイザとＬＣＤとの間の機械的切替えゆえに生じる、デジタイザ上の他の検出信号とを区別することが可能な信号パターンを発見した。
【００７２】
図５Ａで、指先がデジタイザセンサに接触する領域７１は、デジタイザセンサの垂直および水平方向の導電線に複数の信号を誘起する。水平導電線から検知された検出信号の振幅は、バー７３によって表され、水平導電線から検知された検出信号の振幅は、バー７２によって表される。一部の例示的実施形態では、信号は導電線領域７１のみならず、隣接する導電線でも検出される。一般的に、隣接する導電線で誘起される信号は、指先がデジタイザセンサおよびＬＣＤスクリーンを押し下げたときのセンサおよびＬＣＤの機械的変化ゆえに発生する。一部の例示的実施形態では、既定レベルより高い振幅だけを考慮する。
【００７３】
図５Ｂで、勾配信号の振幅勾配は、２つの隣接する導電線で検知された振幅の差の絶対値と定義される。任意選択的に、勾配は隣接する導電線間の距離で除算される。一部の例示的実施形態では、既定のレベルより高い勾配だけが考慮される。信号の勾配を表す他の公知の方法を実現し、指先タッチを検証するために使用してもよい。
【００７４】
一般的に、指先タッチは、検出されたタッチ領域の中心部分の信号振幅が比較的高く、周辺領域に向かって漸減することによって特徴付けることができる。一般的に、勾配値は、検出されたタッチの周辺領域付近が比較的高いと予想することができる。導電線の対が差動増幅器に入力されるデジタイザシステムを使用する場合、同一差動増幅器に入力される導電線の対が同時に、かつ／または同一タッチ事象中にタッチされるので、両方の入力がタッチによって均等に低減されるため、信号検出に約零の検出および／または「ヌル」出力が発生するかもしれない。「ヌル」出力は結果的に、実質的に零の出力信号および／または比較的低い出力信号のいずれかを生じる。これは一般的に、比較的大きい領域に及ぶハンドタッチで発生するが、指先タッチ中に発生することもある。本発明の実施形態は、約零検出の予想周波数を考慮に入れて、大きい領域のタッチ、例えばハンドタッチと、指先タッチとを区別する。本発明の実施形態では、指先タッチ検出および／または検証は、デジタイザセンサ出力の振幅変動および勾配変動に基づいて決定される。
【００７５】
ここで、本発明の例示的実施形態に従って、デジタイザへの信号入力が指先タッチから導出される信号入力であることを検証するための方法のフローチャートを示す、図６を参照しながら説明する。本発明の一部の実施形態では、センサの導電線の少なくとも１本で信号を検出するために、センサの導電線に問合せが行なわれる（ブロック６１０）。例示的実施形態では、垂直および水平両方向の導電線に問合せが行なわれる。他の例示的実施形態では、両方向のうちの１方向、例えば水平方向および／または最大数の導電線が影響を受けると予想される方向の導電線に問合せが行なわれる。代替的に、最小数の導電線が影響を受けると予想される方向に問合せが行なわれる。少なくとも１本の導電線が既定の事象閾値より高い信号振幅を有することが決定されたときに、指先検証が達成される（ブロック６２０）。１つの例示的実施形態では、水平および垂直方向の各方向の少なくとも１本の導電線が既定の事象閾値より高いことが決定されたときに、指先検証が達成される。別の例示的実施形態では、水平および垂直方向のいずれかの方向の少なくとも１本の導電線が既定の事象閾値より高いことが決定されたときに、指先検証が達成される。さらに別の例示的実施形態では、特定方向の少なくとも１本の導電線が既定の事象閾値より高いことが決定されたときに、指先検証が達成される。一部の例示的実施形態では、各軸の少なくとも１本の導電線が既定の事象閾値より高いことが決定されたときに、指先検証が達成される。一部の例示的実施形態では、既定の事象閾値は両方向で同一である。他の例示的実施形態では、既定の事象閾値は各方向で異なる。
【００７６】
既定の事象閾値より高い信号を伝える少なくとも１本の導電線の近傍の導電線で検出された、信号振幅のパターンおよび／または分布が決定され、任意選択的に保存される（ブロック６３０）。一部の例示的実施形態では、検査される分布の導電線の数は、既定の事象閾値より高い信号を伝える少なくとも１本の導電線の両側で予め定められた導電線の数によって制限される。他の例示的実施形態では、全ての導電線が、決定される分布に含まれる。本発明の一部の実施形態では、全ての導電線が、可動または褶動窓を用いてグループ別に検査される。例えば４本の導電線が検査され、その後、最初のグループからの３本の導電線に加えて、これらの３本に隣接する１本の新しい導電線を含む、別の４本の導電線が検査される、等々。１つの例示的実施形態では、センサの全ての導電線に走査および／または問合せが各軸で行われ、閾値より高い出力、例えば増幅器出力を検出するときに、次の幾つかの増幅器出力も検査される。１つの実施例では、次の３つの出力が検査される。
【００７７】
信号振幅の分布の勾配測定が決定され、任意選択的に保存される（ブロック６４０）。既定の振幅閾値より低い決定振幅値は、零の値に設定される（ブロック６５０）。一般的に、ブロック６５０の既定の振幅閾値は、ブロック６２０の事象閾値より低い。既定の勾配閾より低い決定勾配値は、零の値に設定される（ブロック６６０）。１つの例示的実施形態では、振幅閾値は、勾配閾値と等しい値である。本発明の一部の実施形態では、得られた信号パターンは、検出されたタッチ事象が指先タッチ事象であることを検証するために使用される。
【００７８】
本発明の一部の例示的実施形態では、毎回、例えば差動増幅器から出力されるたびに、１グループの導電線が検査される（ブロック６７０）。グループ内の既定の数の導電線、例えば４本の導電線のうちの１本が（例えば何らかの閾値より低い）零振幅を有する場合（ブロック６８０）、検出されたパターンは指先パターンではないと決定される（ブロック６９０）。勾配測定のグループ内の予め定められた数の導電線、例えば４本の導電線のうちの３本、または３本以上の導電線が、零に近い振幅を有する場合（ブロック６９５）、検出されたパターンは指先パターンではないと決定される（ブロック６９０）。既定の線数未満の線が零振幅である場合、指先タッチパターンが検出される（ブロック６９８）。第１組の導電線を検査した後、例えば１本の導電線を交換して、かつ／または検査されるグループの大きさを変えて、後続の組の導電線が検査される。このプロセスは、例えば指先タッチが検出されるまで、その組で信号が検出されなくなるまで、または全ての導電線が検査されるまで、続けられる。本発明の一部の実施形態では、振幅パターンおよび勾配パターンの両方が検査され、指先タッチを検証するためには、定義された条件を満たすことが要求される。本発明の他の実施形態では、振幅パターンまたは勾配パターンのいずれかが検査され、指先タッチを検証するために使用される。入力信号が指先タッチから得られるか否かを決定するために、信号振幅および信号振幅勾配の分布を検査する他の方法を使用することができる。
【００７９】
ここで、本発明の一部の実施形態に係る、振幅閾値より高い振幅値のパターンを示した例示的指先信号パターンを示す図７Ａ、および勾配が勾配閾値より高い場合の振幅値の勾配のパターンを示した例示的指先信号パターンを示す図７Ｂを参照しながら説明する。図７Ａおよび７Ｂは、図５Ａおよび５Ｂに示した既定の閾値に対応する。図７Ａで、領域７１で検出された信号から結果的に、４本の連続的導電線７７が垂直方向に振幅閾値より高い信号を伝えることが明らかになり、かつ４本の非連続的導電線７６が水平方向に振幅閾値より高い信号を伝えることが明らかになった。水平方向には、振幅閾値より高い信号を伝えることが分かった４本の導電線の間に、零の読みを持つ１本の導電線があった。したがって本発明の一部の実施形態では、図７Ａに示す振幅パターンは、指先タッチの要件を満たしている。
【００８０】
図７Ｂの例示的パターンでは、領域７１で検出された信号から結果的に、４本の連続的導電線７９が垂直方向に勾配閾値より高い勾配信号を伝えることが明らかになり、かつ３本の非連続的導電線７８が水平方向に勾配閾値より高い信号を伝えることが明らかになった。水平方向には、勾配閾値より高い信号を伝えることが明らかになった３本の導電線の間に、零の読みを持つ２本の導電線の空間があった。勾配パターンには２つの空間しか見つからなかったので、図７Ｂに示すパターンは、指先タッチの要件を満たしている。本発明の一部の実施形態では、図７Ａに示すパターンは、図７Ｂに示すパターンと共に、入力信号７１が指先タッチ入力信号であることの検証として使用される。毎回小さい窓、例えば４本の隣接する平行な線からの出力を含む窓が検査されるだけであるので、上述した方法を使用して、１つまたはそれ以上の同時指タッチを検出することができる。図５Ａ、５Ｂ、７Ａ、および７Ｂに示すパターンは単なる例示的パターンであって、信号の読みの間の間隔の数に他の定義された制限を使用する他のパターンが、指先タッチの検証の要件を満たすかもしれない。
【００８１】
ここで、本発明の実施形態に係る、信号振幅、信号振幅勾配、振幅が既定の振幅閾値より高い信号振幅、および勾配振幅が既定の勾配閾値より高い信号振幅勾配のハンドタッチの例示的信号パターンをそれぞれ示す図８Ａ、８Ｂ、８Ｃ、および８Ｄを参照しながら説明する。本発明の実施形態では、ハンド入力信号８１は、垂直方向８３および水平方向８２の信号振幅のパターンおよび／または分布を誘起する。一部の例示的実施形態では、信号は領域８１の導電線のみならず、隣接する導電線でも検出される。一般的に、隣接する導電線で誘起される信号は、指先がデジタイザセンサおよびＬＣＤスクリーンを押し下げたときのセンサおよびＬＣＤの機械的変化のために発生する。
【００８２】
一般的に、ハンドタッチの影響を受ける領域は、指先タッチの影響を受ける領域より大きく、したがって差動増幅器の「ヌル」出力がより多く発生するかもしれない。実際、差は通常、図７および８に示すよりずっと大きい。加えて、ハンドタッチでは、接触は手の周辺領域で強調されるが、指先タッチでは、指の中心部分に接触が集中し、かつ／または均等に分布する。したがって、領域８１に対応する１本またはそれ以上の導電線は、比較的低い値および／または零の値を読み出すかもしれない。一部の例示的実施形態では、比較的低い値および／または零の値の読みは、出力が差動増幅器出力であり、かつ差動入力の信号がほぼ同一であるために発生する。
【００８３】
信号のこの相対的均等性は、領域８１の中心部に対応する勾配に対応して低い勾配値および／または零の勾配値を示す、検出信号の勾配パターン８４および８５にも反映される。図８Ｃおよび８Ｄを検討するときに、領域８１の中心部に対応する零の読みは、水平方向に、例えば信号８６および８８に明瞭に示されるが、垂直方向では、例えば信号８７および８９では、それほどでもない。他の実施例では、逆のことが真であるかもしれない。本明細書および図６に記載した方法は、図８Ｃおよび８Ｄに示された信号値間の間隔のため、例えば振幅閾値より高い振幅値における２以上の空間（図８Ｃ）、および勾配閾値より高い勾配値における３つ以上の空間（図８Ｄ）のため、図８Ａ〜８Ｄに表示されたパターンを非指先タッチパターンとして拒絶する。一般的に、信号が拒絶されると、「タッチ無し」データがホストコンピュータに報告される。本発明の一部の実施形態では、本明細書に記載する方法は、パームリジェクション（掌拒絶）のために使用される。パームリジェクションの必要性は、スタイラスおよび／または指の使用中に、この種のタッチがユーザインタラクションとして解釈されることを意図せずに、センサ上にユーザの手を載せることの便利さ（および容易さ）に起因する。
【００８４】
本明細書で上述した方法は、様々なタイプのデジタイザセンサ、例えば本発明の図２および図４の両方に記載したデジタイザセンサに適用することができる。例示的実施形態では、各導電線が単一の増幅器に関連付けられかつ／または接続されるように、図４に記載したデジタイザセンサを適用するときに、振幅パターン、例えば図７Ａに示した振幅パターンで、入力信号を拒絶する前に許容される空間数は、低減することができ、例えば零に低減することができる。したがって、隣接する振幅の読みの間の空間、および／または検査される窓内で発生する零の検出は、非指先タッチ入力として検出される領域に対応する。差動信号が決定される（例えば図２に記載したような）システムでは、差動増幅器の両方の導電線が誘起領域に含まれ、例えば零検出を生じる場合を考慮に入れるために、零検出は閾値量だけ許容される。導電線間の差動信号を記録しないシステムの場合、この考慮事項は関係しない。
【００８５】
ここで、本発明の例示的実施形態に係る、デジタイザへの信号入力が指先タッチ入力信号であることを検証するための方法を記載した、例示的フローチャートを示す図９を参照しながら説明する。一般的に、図９に関連して説明する方法は、図４に関連して説明したタッチ検出方法と共に使用される。本発明の一部の実施形態では、その信号検出が指先タッチに対応する場合、信号入力領域の形状が推定され考慮される。本発明の一部の実施形態では、絶対振幅が既定の事象閾値レベルより高い信号の読みを持つ、少なくとも１本の導電線を検出することによって、タッチ事象の存在が識別される（ブロック９１０）。センサの導電線で検出された信号の振幅値が決定される（ブロック９２０）。一部の例示的実施形態では、事象閾値より高い信号の読みを持つ導電線の周りに画定された領域で、振幅値のパターンが決定される。他の例示的実施形態では、全ての導電線に問合せが行なわれ、振幅値のパターンが決定される。本発明の一部の実施形態では、既定の振幅閾値より低い振幅値は零検出に設定される。
【００８６】
本発明の一部の実施形態では、直交軸の各々に見られる、既定の振幅閾値より高い検出信号を持つ導電線の数の間の比率が決定される（ブロック９３０）。１つの例示的実施形態では、タッチ領域の短軸における検出線の数に対する長軸における導電線の数の比率である、形状尺度（ｓｈａｐｅ  ｓｃａｌｅ）が決定される。比率が既定の範囲内であるか否かを決定するために、質問が行なわれる（ブロック９４０）。一部の例示的実施形態では、指タッチ入力は約１：１または２：１の比率に対応する。任意選択的に、この範囲外の比率に対応する信号は、非指パターンとして拒絶される。本発明の一部の実施形態では、入力信号の領域が決定される（ブロック９６０）。１つの例示的実施形態では、入力信号の領域は矩形として近似され、センサの直交軸の各々における入力信号の長さに基づいて決定される。長さは、例えば振幅閾値より高い検出信号を含む導電線の数に、導電線の間の間隔を乗算することによって近似される。算出された領域が、指先タッチに対応する指定範囲内であるか否かを決定するための質問が行なわれる（ブロック９７０）。本発明の一部の実施形態では、約１６ｍｍ２から５００ｍｍ２の範囲の検出領域は、指先タッチに対応する範囲とみなされる。この定義範囲外の検出範囲は、非指先信号として拒絶される（ブロック９５０）。１つの例示的実施形態では、比率の決定より前に領域の決定が行なわれる。別の例示的実施形態では、比率の決定および／または領域の決定の両方とは対照的に、それらのいずれか一方が実現される。本発明の一部の実施形態では、空間を含む検査領域の窓を決定するために、質問が行なわれる（ブロック９８０）。空間の無い窓が見つかる場合、検出された信号は指先信号として定義される要件を満たし、そうでない場合、信号は拒絶される。勾配パターンが決定される（ブロック９８５）。勾配値は、隣接および／または近隣の導電線で検出された信号振幅間の差である。１つの例示的実施形態では、例えば均等間隔でない導電線のグリッドの場合、決定された勾配値は、隣接導電線間の距離で除算される。一部の例示的実施形態では、勾配閾値より高い勾配値だけが考慮され、他の勾配値は零に設定される。任意選択的に、勾配閾値および振幅閾値は同一値を有する。信号が検出された導電線の数Ｎが決定される。勾配信号にＮ−２を越える空間が決定された場合、入力信号は拒絶される（ブロック９９０）。一般的に、勾配画像を検査するときに、信号はエッジで、例えば画像の輪郭で検出され、したがってＮ−２の空間を使用する。そうでない場合、入力信号は指先入力信号として検証され、受け入れられる（ブロック９９５）。本発明の他の実施形態では、１つまたはそれ以上のブロックを省略することができ、かつ／またはブロックの順序を再配置することができる。
【００８７】
本発明の一部の実施形態では、空間的高域通過フィルタを使用して、入力信号の勾配パターンを決定する。空間的高域通過フィルタは高周波信号だけを通過させるので、信号振幅の変化が大きい領域が検出される。一般的に、これらの領域は指タッチ検出領域のエッジに対応し、したがって高域通過フィルタの出力から結果的に、変化が比較的大きい輪郭のバリエーションが得られる。
【００８８】
デジタイザセンサで検出される信号が指先タッチであることを検証するための、本明細書に記載する方法の感度は、幾つかのパラメータに応じて異なり、パラメータおよびそれらの閾値は用途によって異なる。様々なパラメータとして、信号振幅の閾値および「タッチ事象」の閾値、信号振幅勾配の閾値、センサの直交導電線上で検出された信号間の比率の規定の範囲、入力信号の規定の領域、高域通過フィルタのカットオフ周波数、ならびに検査されるアンテナの数が挙げられる。デジタイザセンサで検出された信号が指先タッチに対応することを検証するために記載したパラメータの１つまたはそれ以上を、他のパラメータと組み合わせて、または単独で使用することができる。
【００８９】
本発明の一部の実施形態では、本明細書に記載した方法を使用して、スタイラス入力、指先入力、および他のユーザ入力を区別することができる。本発明の一部の実施形態では、本明細書に記載した方法の一部を、ホストコンピュータ２２、デジタルユニット２０、および／またはＡＳＩＣユニット１６で実行することができる。
【００９０】
本明細書における用語「パターン」とは、信号が検出されたデジタイザセンサ上の単なる領域だけを指すものではない。
【００９１】
本明細書で上述した個々の特徴は、本発明の例示的実施形態を生み出すために、あらゆる可能な組合せおよび部分組合せにより結合することができることを、さらに理解されたい。さらに、各実施形態に対して記載した全ての要素が必須というわけではない。多くの場合、そのような要素は、本発明を実行するための最良の形態を説明するため、または必須要素間の論理的架け橋を形成するために記載したものである。上に掲げた実施例は例示的な性質のものであって、発明の範囲を限定する意図は無く、発明の範囲は、添付する特許請求の範囲によってのみ定義される。
【００９２】
本明細書で使用する用語「含む」、「備える」、および「有する」、ならびにそれらの同根語は、「含むが、必ずしもそれらに限定されない」ことを意味する。
【図１】
2009540452.tif 000003
【図２】
2009540452.tif 000004
【図３】
2009540452.tif 000005
【図４】
2009540452.tif 000006
【図５】
2009540452.tif 000007
【図６】
2009540452.tif 000008
【図７】
2009540452.tif 000009
【図８Ａ−Ｂ】
2009540452.tif 000010
【図８Ｃ−Ｄ】
2009540452.tif 000011
【図９】
2009540452.tif 000012
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
デジタイザへの指先タッチ入力を検証するための方法であって、デジタイザセンサの導電線から得られる信号のパターンを検出する工程と、検出された信号のパターンから空間信号振幅勾配のパターンを決定する工程と、前記空間信号振幅勾配のパターンを指先タッチの予め定められた勾配特性と比較する工程と、前記比較に基づいて信号のパターンが指先タッチ入力であるか否かを決定する工程とを含む方法。
【請求項２】
導電線は平行な導電線である、請求項１に記載の方法。
【請求項３】
導電線は、グリッドを形成する直交する２組の平行な導電線を含む、請求項１又は２に記載の方法。
【請求項４】
直交する２組は相互に電気的に分離される、請求項３に記載の方法。
【請求項５】
平行な導電線は等間隔に配置される、請求項２〜４のいずれかに記載の方法。
【請求項６】
平行な導電線は４ｍｍ間隔で配置される、請求項２〜５のいずれかに記載の方法。
【請求項７】
平行な導電線の対は差動増幅器に入力される、請求項２〜６のいずれかに記載の方法。
【請求項８】
検出された信号のパターンは差動増幅器出力のパターンである、請求項７に記載の方法。
【請求項９】
平行な導電線の対は、非隣接導電線である、請求項７又は８に記載の方法。
【請求項１０】
検出された信号のパターンは信号振幅のパターンである、請求項１〜９のいずれかに記載の方法。
【請求項１１】
パターンは、既定の振幅閾値より高い信号振幅のパターンである、請求項１〜１０のいずれかに記載の方法。
【請求項１２】
空間信号振幅勾配のパターンは、既定の勾配閾値より高い空間信号振幅勾配のパターンである、請求項１〜１１のいずれかに記載の方法。
【請求項１３】
検出された信号のパターンにおけるギャップの数を決定する工程を含む、請求項１〜１２のいずれかに記載の方法。
【請求項１４】
信号のパターンにおけるギャップの最大数を決定し、それより低いギャップ数で信号のパターンが指先タッチを検証する要件が満たされる工程を含む、請求項１３に記載の方法。
【請求項１５】
信号のパターンが、容量式タッチ方法を用いて検出される、請求項１〜６，１０〜１４のいずれかに記載の方法。
【請求項１６】
空間信号振幅勾配が、検出された信号のパターンからの信号振幅のパターンの空間的高域通過フィルタ信号である、請求項１〜１５のいずれかに記載の方法。
【請求項１７】
空間信号振幅勾配のパターンが輪郭パターンである、請求項１６に記載の方法。
【請求項１８】
デジタイザセンサ上の信号のパターンが検出された領域の大きさの比率を決定する工程と、指先タッチを検証する要件を満たす比率の範囲を定義する工程とを含む、請求項１５〜１７のいずれかに記載の方法。
【請求項１９】
デジタイザセンサ上の信号のパターンが検出された領域を決定する工程と、領域が、指先タッチを検証する要件を満たす領域の既定の範囲内にあるか否かを決定する工程とを含む、請求項１８に記載の方法。
【請求項２０】
デジタイザセンサは透明である、請求項１〜１９のいずれかに記載の方法。
【請求項２１】
検出はマルチタッチ検出を含む、請求項１〜２０のいずれかに記載の方法。
【請求項２２】
出力信号のパターンが検出される複数の導電線を含むデジタイザセンサと、複数の導電線からの出力信号のパターンから決定された空間信号振幅勾配のパターンに基づいて、デジタイザへの入力が指先タッチ入力であることを検証するように動作するコントローラとを備えた、デジタイザへの指先タッチ入力を検証するためのシステム。
【請求項２３】
複数の導電線は平行な導電線を含む、請求項２２に記載のシステム。
【請求項２４】
複数の導電線は、グリッドを形成する直交する２組の平行な導電線を含む、請求項２２又は２３に記載のシステム。
【請求項２５】
直交する２組は、相互に電気的に分離される、請求項２４に記載のシステム。
【請求項２６】
複数の導電線は等間隔に配置される、請求項２２〜２５のいずれかに記載のシステム。
【請求項２７】
複数の導電線は４ｍｍ間隔に配置される、請求項２２〜２６のいずれかに記載のシステム。
【請求項２８】
平行な導電線の対は、差動増幅器に入力される、請求項２３〜２７のいずれかに記載のシステム。
【請求項２９】
出力信号は差動増幅器出力のパターンである、請求項２８に記載のシステム。
【請求項３０】
平行な導電線の対は、非隣接導電線である、請求項２８又は２９に記載のシステム。
【請求項３１】
コントローラは、出力からの信号振幅のパターンを決定するように動作する、請求項２２〜３０のいずれかに記載のシステム。
【請求項３２】
コントローラは、既定の振幅閾値より高い出力からの信号振幅のパターンを決定するように動作する、請求項２２〜３１のいずれかに記載のシステム。
【請求項３３】
コントローラは、出力からの空間信号振幅勾配のパターンを決定するように動作する、請求項２２〜３２のいずれかに記載のシステム。
【請求項３４】
コントローラは、既定の勾配閾値より高い出力からの空間信号振幅勾配のパターンを決定するように動作する、請求項２２〜３３のいずれかに記載のシステム。
【請求項３５】
コントローラは、空間信号振幅勾配のパターンにおけるギャップの数を決定するように動作する、請求項２２〜３４のいずれかに記載のシステム。
【請求項３６】
コントローラは、既定のギャップの最大数より上のギャップを持つ空間信号振幅勾配のパターンに対応するデジタイザへの入力を拒絶するように動作する、請求項３５に記載のシステム。
【請求項３７】
出力信号は、容量式タッチ方法を用いて検出される、請求項２２〜２７，３１〜３６のいずれかに記載のシステム。
【請求項３８】
空間信号振幅勾配は、出力の高域通過フィルタ信号である、請求項３３〜３７のいずれかに記載のシステム。
【請求項３９】
空間信号振幅勾配のパターンは輪郭パターンである、請求項３８に記載のシステム。
【請求項４０】
コントローラは、出力が検出された領域の大きさの比率を決定し、かつこの比率が、指先タッチを検証する要件を満たす既定の比率の範囲内であるか否かを決定するように動作する、請求項３７〜３９のいずれかに記載のシステム。
【請求項４１】
コントローラは、前記領域が、指先タッチを検証する要件を満たす既定の領域の範囲内であるか否かを決定し、かつ前記大きさが、指先タッチを検証する要件を満たす既定の大きさの範囲内であるか否かを決定するように動作する、請求項４０に記載のシステム。
【請求項４２】
デジタイザセンサは透明である、請求項２２〜４１のいずれかに記載のシステム。
【請求項４３】
コントローラは、マルチタッチ入力を検出するように動作する、請求項２２〜４２のいずれかに記載のシステム。
【請求項４４】
ホストコンピュータを備え、このホストコンピュータはコントローラと通信する、請求項２２〜４３のいずれかに記載のシステム。
【請求項４５】
コントローラは、指先入力として検証された入力を、ホストコンピュータに送信する、請求項４４に記載のシステム。
【請求項４６】
コントローラは、空間信号振幅勾配のパターンに基づいて、指先タッチと手又は手の平タッチとを区別するように動作する、請求項２２〜４５のいずれかに記載のシステム。
【請求項４７】
前記コントローラは、複数の導電線の出力信号から決定された信号振幅のパターンに基づいて、デジタイザへの入力が指先タッチ入力であることを検証するようにさらに動作する、請求項３１〜４６のいずれかに記載のシステム。
【請求項４８】
コントローラは、信号振幅のパターンにおけるギャップの数を決定するように動作する、請求項３１〜４７のいずれかに記載のシステム。
【請求項４９】
コントローラは、入力に対応する信号振幅のパターンにおけるギャップの数が既定のギャップの最大数より上であるデジタイザへの入力を拒絶するように動作する、請求項４８に記載のシステム。
【請求項５０】
空間信号振幅勾配のパターンに基づいて、指先タッチと手タッチとを区別する工程を含む、請求項１〜２１のいずれかに記載の方法。
【請求項５１】
空間信号振幅勾配のパターンにおけるギャップの数を決定する工程を含む、請求項１〜２１のいずれかに記載の方法。
【請求項５２】
ギャップの最大数を決定し、それより低いギャップ数で空間信号振幅勾配のパターンが指先タッチを検証する要件が満たされる工程を含む、請求項５１に記載の方法。
【請求項５３】
信号振幅のパターンを指先タッチの予め定められた特性と比較する工程を含む、請求項１０又は１１に記載の方法。
【国際調査報告】
2009540452.tif 000013
2009540452.tif 000014
2009540452.tif 000015